(57)【要約】  Ｎ個のサブキャリアを含むＦＦＴベースのマルチキャリア通信システムのセルラーに用いられ、特定の情報のキャリアとしての使用可能性のために予約されるサブキャリアのセットＰを割り当てるための方法であって、Ｌ＝Ｎ／Ｍが整数となるようにサブキャリアのセットＰに割り当てられるサブキャリアの数を示す数Ｍを選択するステップと、セットＰ＝｛（ｎ０＋ｍ＊Ｌ）  ｍｏｄ  Ｎ：  ０≦ｍ＜Ｍ｝の少なくとも２つのサブキャリアを特定の情報のために割り当てるステップであって、ｎ０はＰ内の最小の番号が付されたサブキャリアのオフセットであり、Ｐの要素は各々が割り当てられたサブキャリアの番号を示すインデックスである、ステップとを備える。また、その方法を実施するための装置が開示される。本発明によれば、サブチャネルは周波数方向に最大限に広げられ、それにより最大の多様性を与え更に低い複雑度の端末の使用を可能とする。
2007536761.tif 000002
【特許請求の範囲】
【請求項１】
Ｎ個のサブキャリアを含むＦＦＴベースのマルチキャリア通信システムのセルラーに用いられ、特定の情報のキャリアとしての使用可能性のために予約されるサブキャリアのセットＰを割り当てるための方法であって、
Ｌ＝Ｎ／Ｍが整数となるように、サブキャリアのセットＰに割り当てられる前記サブキャリアの数を示す数Ｍを選択するステップと、
前記セットＰの少なくとも２個のサブキャリアを、前記特定の情報のために割り当てるステップと、
を含み、Ｐ＝｛（ｎ０＋ｍ＊Ｌ）  ｍｏｄ  Ｎ：  ０≦ｍ＜Ｍ｝であり、ｎ０はＰ内の最小の番号が付されたサブキャリアのオフセットであることを特徴とする方法。
【請求項２】
先頭のオフセットｎ０＜Ｎを選択するステップと、
前記先頭のオフセットｎ０に基づいてＰの一部である前記サブキャリアを決定するステップと、
を含むことを特徴とする請求項１に記載の方法。
【請求項３】
先頭のオフセットｎ０＜Ｌを選択するステップと、
前記先頭のオフセットｎ０に基づいてＰの一部である前記サブキャリアを決定するステップと、
を含むことを特徴とする請求項１に記載の方法。
【請求項４】
前記特定の情報はペイロードデータであることを特徴とする請求項１乃至請求項３の何れか１項に記載の方法。
【請求項５】
前記特定の情報は同報情報であることを特徴とする請求項１乃至請求項３の何れか１項に記載の方法。
【請求項６】
前記特定の情報はサービスエリア内の２以上の基地局から同時に送信される共通同報情報であることを特徴とする請求項５に記載の方法。
【請求項７】
前記特定の情報はセル固有の情報であることを特徴とする請求項５に記載の方法。
【請求項８】
Ｐｉ⊆ＰかつＰｉ＝｛（ｎ０’＋ｍ’＊Ｌ’）  ｍｏｄ  Ｎ｝となるように、前記セットＰの少なくとも１つのサブセットＰｉを選択するステップであって、Ｌ’＞ＬでありかつＬがＬ’を除算する、ステップをさらに含むことを特徴とする請求項１乃至請求項７の何れか１項に記載の方法。
【請求項９】
Ｎ個のサブキャリアを含むＦＦＴベースのマルチキャリア通信システムのセルラーに用いられる信号送信ノードであって、
Ｌ＝Ｎ／Ｍが整数となるように、サブキャリアのセットＰに割り当てられる前記サブキャリアの数を示す数Ｍを選択する手段と、
前記セットＰの少なくとも２個のサブキャリアを、前記特定の情報のために割り当てる手段と、
出力ブロックを生成するために、少なくとも前記セットＰのサブキャリアに対してＩＦＦＴを実行するＩＦＦＴ手段（３８）と、
前記出力ブロックをシリアル形式で送信する送信手段と、
を含み、Ｐ＝｛（ｎ０＋ｍ＊Ｌ）  ｍｏｄ  Ｎ：  ０≦ｍ＜Ｍ｝であり、ｎ０はＰ内の最小の番号が付されたサブキャリアのオフセットであることを特徴とする信号送信ノード。
【請求項１０】
前記セットＰの少なくとも２個のサブキャリアを割り当てる手段は、ペイロード情報を保持するサブキャリアに割り当てるよう構成されることを特徴とする請求項９に記載の信号送信ノード。
【請求項１１】
前記セットＰの少なくとも２個のサブキャリアを割り当てる手段は、同報情報を保持するサブキャリアに割り当てるよう構成されることを特徴とする請求項９に記載の信号送信ノード。
【請求項１２】
前記セットＰの少なくとも２個のサブキャリアを割り当てる手段は、サービスエリア内の２以上の基地局から同時に送信される共通同報情報を保持するサブキャリアに割り当てるよう構成されることを特徴とする請求項１１に記載の信号送信ノード。
【請求項１３】
前記セットＰの少なくとも２個のサブキャリアを割り当てる手段は、セル固有の情報を保持するサブキャリアに割り当てるよう構成されることを特徴とする請求項１１に記載の信号送信ノード。
【請求項１４】
Ｐｉ⊆ＰかつＰｉ＝｛（ｎ０’＋ｍ’＊Ｌ’）  ｍｏｄ  Ｎ｝となるように、前記セットＰの少なくとも１つのサブセットＰｉを選択する手段であって、Ｌ’＞ＬでありかつＬがＬ’を除算する、手段をさらに含むことを特徴とする請求項９乃至請求項１３の何れか１項に記載の信号送信ノード。
【発明の詳細な説明】
【技術分野】
【０００１】
本発明は、請求項１のプリアンブル部に記載の方法および請求項９のプリアンブル部に記載の信号送信ノードに関する。
【背景技術】
【０００２】
有線および無線の両方の通信システムにおいて、マルチキャリアの手法が用いられている。有線のシステムの例としては、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＶＤＳＬ（Ｖｅｒｙ  ｈｉｇｈ  ｒａｔｅ  Ｄｉｇｉｔａｌ  Ｓｕｂｓｃｒｉｂｅｒ  Ｌｉｎｅ）、または、さらに一般的にはｘＤＳＬがある。無線マルチキャリアシステムの例としては、ＩＥＥＥ８０２．１１ａ、ＩＥＥＥ８０２．１１ｇ、および、ＨｙｐｅｒｌａｎＩＩがあり、これらは全てＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）技術に基づいている。
【０００３】
一般的にマルチキャリアシステムは、Ｎ個のキャリア（サブキャリアとも呼ばれる）からなるセットにより、符号化された情報を送信機から受信機まで送信する。ここでＮはシステムに依存する整数であり、一般的には６４〜４０９６の間である。
【０００４】
無線通信に適した電波スペクトルは有限であり共有されるリソースであるので、おそらく大きいサービスエリアにわたって分散しているであろう複数のユーザにサービスすることを目的とした所与のいかなるシステムに対して割り当てられたスペクトルは、十分な範囲および容量を提供するために全体のサービスエリアの中の異なるサブエリア（つまり、セル）において再利用されなければならない。使用される多元接続技術、異なるセルまたは基地局間の距離に依存して、利用可能なスペクトルの同じ部分に対する割当ては変化する。サービスエリア内の任意の位置の移動局がどのセルあるいはどの基地局に接続するかを決定可能とするために、基地局は、移動局が当該移動局の範囲内にある基地局を識別するために使用可能な情報を送信しなければならない。
【０００５】
マルチキャリアシステムでは、利用可能帯域幅は多数のサブチャネルに分割される。これらのサブチャネルは、ペイロードの異なるタイプまたは制御情報の少なくとも一方を運ぶのに用いられ得る。例えば、セルラー網の基地局において、セル固有の情報を読み出すための異なる基地局の存在の検出および同期の両方を移動局が可能となるように、利用可能な１以上のサブチャネルはセル固有の同報情報のために予約され得る。従来の周波数再利用と同様、この目的のために予約されるサブチャネルは、各々の伝播の広さから十分に遠く離れた異なるセルにおいて再利用され得る。
【０００６】
セル検索を実行しセル固有の情報を読み出すために、この目的のために割り当てられている物理的リソースのセットは、少なくともある程度は前もって移動局により知られている必要がある。さらに、異なるジェネレーションに属する移動局をサポートするために、この最小限の割り当てはネットワークの全期間において静的でなければならない。そのため、セル固有の転送を伝達しているサブチャネルの割当ストラテジは、システムを設計するときに根本的に重要である。
【発明の開示】
【発明が解決しようとする課題】
【０００７】
多数のサブチャネルを有するマルチキャリアシステムにおいて、総計物理情報チャネルを定義するための多くの異なる割当ストラテジが形成され得るのは明白である。しかしながら、良好なストラテジは、多様性および受信機の複雑度を考慮しなければならない。
【０００８】
−多様性。チャネルに遅延スプレッドがある場合には、チャネル全体にわたる周波数応答は均一でない。したがって、異なるサブチャネルの減衰量および位相シフトは異なる。そのため、移動局が、周波数選択フェージングがある場合であっても検出し同期することを可能であるようにするために、同時性の悪い転送状況のリスクを最小化するため、多数のサブバンドは周波数方向に間隔を置いて配置されるよう割り当てられなければならない。
【０００９】
−受信機の複雑度。アクティブでないとき、すなわちトラフィックを処理していないとき、移動局はバッテリ電力を節約するためにスリープする。しかしながら、サービス中の基地局への同期を維持し、潜在的により良い接続を提供し得る新規の基地局についてチェックするため、移動局は周期的に”ウェイクアップ”し測定を実行しなければならない。したがって、移動局がバッテリ容量を維持するのを補助するため、良好な割当ストラテジは、セル固有の情報を伝送するサブチャネルを検出するための低い複雑度となる実装をサポートしなければならない。
【００１０】
したがって、本発明の目的は、マルチキャリアシステムのキャリアとして使用されるサブチャネルの高い多様性を提供する総計物理情報チャネルの効率的な割当ストラテジを提供することである。
【課題を解決するための手段】
【００１１】
本発明に従って目的は達成され、Ｎ個のサブキャリアを含むＦＦＴベースのマルチキャリア通信システムのセルラーに用いられ、特定の情報のキャリアとしての使用可能性のために予約されるサブキャリアのセットＰを割り当てるための方法であって、Ｌ＝Ｎ／Ｍが整数となるように、サブキャリアのセットＰに割り当てられる前記サブキャリアの数を示す数Ｍを選択するステップと、前記セットＰ＝｛（ｎ０＋ｍ＊Ｌ）  ｍｏｄ  Ｎ：  ０≦ｍ＜Ｍ｝の少なくとも２個のサブキャリアを、前記特定の情報のために割り当てるステップであって、ｎ０はＰ内の最小の番号が付されたサブキャリアのオフセットである、ステップとを含む。
【００１２】
Ｐの要素はインデックスであり、各々は割り当てられたサブキャリアの番号を示している。
【００１３】
また、本発明に従って目的は達成され、Ｎ個のサブキャリアを含むＦＦＴベースのマルチキャリア通信システムのセルラーに用いられる信号送信ノードであって、Ｌ＝Ｎ／Ｍが整数となるように、サブキャリアのセットＰに割り当てられる前記サブキャリアの数を示す数Ｍを選択する手段と、前記セットＰ＝｛（ｎ０＋ｍ＊Ｌ）  ｍｏｄ  Ｎ：  ０≦ｍ＜Ｍ｝の少なくとも２個のサブキャリアを、前記特定の情報のために割り当てる手段であって、ｎ０はＰ内の最小の番号が付されたサブキャリアのオフセットである、手段と、出力ブロックを生成するために、少なくとも前記セットＰのサブキャリアに対してＩＦＦＴを実行するＩＦＦＴ手段と、前記出力ブロックをシリアル形式で送信する送信手段とを含む。
【００１４】
本発明によれば、サブチャネルは周波数方向に最大限に広げられ、それにより多様性を与えフェージングの影響を低減する。
【００１５】
本発明の方法により、また、エネルギーにおいて経済的な設計となる低い複雑度の端末の使用が可能になる。本出願と同じ出願人により同じ日に出願された”Ｓｉｇｎａｌ  Ｃｏｎｖｅｒｓｉｏｎ”という名称の同時係属出願に記載されているユーザ端末は、特に本発明と共に有益である。簡潔にいえば、同時係属出願によれば、送信機は、Ｎ個の受信された信号サンプルのブロックの、Ｍは２とＮとの間の整数でありＮを除算する、Ｍ個の信号サンプルの新規ブロックへの信号変換を実行する。この変換の利点は、既存のシステムにおけるＮポイントＦＦＴの替わりに、Ｎに比較し非常に小さいＭであるＭポイントＦＦＴ（高速フーリエ変換）により後段のフーリエ変換を実行することが出来るということである。この特徴は特に移動局において魅力的なものであり、低減された複雑度により結果としてより長いバッテリ時間とすることが出来る。
【００１６】
本発明による方法は、システムで送信される任意の情報タイプに用いられることが可能である。これは、共通およびセル固有の双方の同報データと同様に、ペイロードデータも含まれる。
【００１７】
好ましい実施形態において、特定の情報はペイロードデータである。本発明の方法により各々が等間隔に配置されるキャリアの明確なセットを用いペイロードデータの転送を可能にすることによって、より低い複雑度の端末を利用することが出来る。より詳しくは、端末は、システムで許可された制限されたデータレートのみを受信することが出来る。これにより、システムの加入者は、システムに対する要求に依存して、異なるサービスのレベルを選択することが可能になる。例えば、大容量データの接続を必要とするユーザと比較して、低データレートの接続のみに興味があるユーザは、よりシンプルな端末およびより安価な利用契約（ｓｕｂｓｃｒｉｐｔｉｏｎ）を利用することが出来る。
【００１８】
あるいは、特定の情報は、サービスエリア内の２以上の基地局から同時に送信される共通同報情報である。あるいは、特定の情報は、例えば同期チャネルにより送信される同期情報や、セル識別、セル構成または負荷表示に関する情報のようなセル固有の情報である。
【００１９】
移動端末はシステムはアイドルのときであっても、少なくとも１つの基地局からの同期信号が周期的に受信し評価する。従って、これらの演算の複雑度を低減することにより、結果としてより長いバッテリ時間となる。
【００２０】
また、本発明により、例えば、フルスケールの基地局から移動端末に制限された情報量を中継するために低い複雑度の基地局を使用することが可能になる。
【００２１】
また、本発明は２台の移動端末の間の直接通信にも用いることが出来る。送信する端末が発明の方法を実行する。送信する端末および受信する端末の両方が、例えば上述の同時係属出願に従って簡単な構成になり得る。
【００２２】
好ましい実施形態によれば、Ｐの少なくとも１つのサブセットＰｉは、Ｐｉ⊆ＰかつＰｉ＝｛（ｎ０’＋ｍ’＊Ｌ’）  ｍｏｄ  Ｎ｝であり、Ｌ’＞ＬでありかつＬがＬ’を除算する、ように定義される。複数のサブセットが定義されるとき、サブセット同士は直交であり、かつ、ｉ≠ｊである全てに対して、｛Ｐ０∪．．．∪ＰＫ−１｝⊆Ｐ、かつ、｛Ｐｉ∩Ｐｊ｝＝φ、となるよう定義される。
【００２３】
このようにして、Ｐの異なるサブセットは、再利用クラスタの異なるセルに対して割り当てられる。そのため、Ｐのサブセットは、同一チャネル干渉の影響を低減するために、出来る限り遠い距離の異なるセルで再利用され得る。その固有の構造のために、各々のサブセットの検出あるいはパワー推定の少なくとも一方が上述の同時係属出願に記載される低い複雑度の方法によって可能になる。このようにして、より大きい周波数再利用がサポートされる。
【００２４】
本実施形態において、アイドル（ｉｄｌｅ）モードの移動端末は、ただ１つの通信する基地局を選択することが出来、１つの特定の基地局（一般的に最も強い信号が受信されるもの）から受信した信号を評価するため、演算の複雑度がさらに低減される。現在の基地局から受信されるパワーが低下するとき、端末は全ての同期信号（すなわち、セットＰ内の全サブキャリア）を再び評価し、通信するための他の基地局を選択することが出来る。
【００２５】
サブセットの階層が定義され得、Ｐは第１レベルである。第２のレベルとして、ＰのＫ個のサブセットＰｋが定義され、各々のサブセットＰｋ内のチャネルは等距離に隔てられる。各々のサブセットＰｋのサブセットを定義することが可能であり、例えば、セルの異なるセクターを識別する。
【００２６】
割り当てられたか、または、予約されたいくつかのチャネル（一般的には、周波数範囲の両端のチャネル）は使用されないかもしれない。しかし、Ｎを定義するときには、全周波数範囲が考慮されなければならない。
【００２７】
この文書の全体にわたって、サブキャリアは、０からＮ−１までの番号が付される。サブキャリアおよびサブキャリアのセットは、したがって、０からＮ−１の間のインデックスのセットにより表される。この記法を利用してサブキャリア間の関係は容易に説明される。他の番号付け記法が、本発明の思想を変えずに用いられるかもしれない。
【発明の効果】
【００２８】
マルチキャリアシステムのキャリアとして使用されるサブチャネルの高い多様性を提供する総計物理情報チャネルの効率的な割当ストラテジを提供することができる。
【発明を実施するための最良の形態】
【００２９】
このアプリケーションは多数のセルを含むセルラーシステムを概念的に図示する図１に示される。各々のセルにおいて、セル内に位置する移動端末と通信するための基地局が配置される。各々の基地局は、セル内の移動端末の同期のための同期チャネルを送信する。特定のセルに位置する移動端末は、隣接セルの多数の基地局から同期チャネルを受信することが可能である。
【００３０】
図２は、従来技術に係るマルチキャリアシステムの異なるタイプのチャネルの構成を示す。その最上位レベルに、システムの全帯域幅を含む広帯域物理リソースがある。この帯域幅は、ペイロードデータのリソースおよび同報情報のリソースに分割される。システムがセルラーである場合、同報情報のリソースは、共通情報（あてはまる場合）、すなわちシステム全体で同じ情報、のリソースおよびセル固有の情報に順番に分割される。
【００３１】
図３は、本発明に係るマルチキャリアシステムの異なるタイプのチャネルの構成である。従来技術のように、最上位レベルはシステムの全帯域幅を含む広帯域物理リソースである。本発明によれば、低レート物理リソースは、広帯域物理リソース内のリソースのセットとして選択される。くし型分解ユニットは、リソースのセットの選択を実行するために用いられる。この低レート物理リソースは、ペイロードデータのリソースおよび同報情報のリソースに順番に分割される。システムがセルラーである場合、同報情報のリソースは、セル固有の情報および、共通情報、すなわちシステム全体で同じ情報、のリソースに分割され得る。
【００３２】
−くし型分解ユニットは、最初に、予約されるサブキャリアの数ＭをＬ＝Ｎ／Ｍが整数となるよう選択し、次に、上述したペイロードあるいは同報情報である特定の情報のためのＰ＝｛ｎ０＋ｍＬ：  ｍ＝０，１，．．．，Ｍ−１｝であるサブキャリアのセットＰを割り当てる、ことによりリソースのセットを選択する。ｎ０は、Ｐ内の最小の番号が付されたサブキャリアのオフセットである。Ｐ内の全サブキャリアが特定の情報に使用されるわけではない。少なくとも２つのサブキャリアが本発明によって使用される限り、１つ以上のサブキャリアは他の情報に使用され得る。この場合における、Ｐを表現する他の方法はＰ＝｛（ｎ０＋ｍ＊Ｌ）  ｍｏｄ  Ｎ：  ０≦ｍ＜Ｍ｝である。
【００３３】
本発明は、単純化されたスペクトル例を示す図４の状況を利用する（周波数要素の絶対値のみが示されるが実際には複雑でも良い）。実施例のサイズを処理しやすくするため、Ｎ＝３２およびＭ＝８を仮定する。もちろん、通信システムにおいてＮおよびＭの値は非常に大きい。したがって、４番目毎のサブキャリアがセットＰに含まれる。関連する周波数ビンは点（ｄｏｔ）ではなく円（ｃｉｒｃｌｅ）によって示される。この例では、ｉ＝１，５，９，１３，１７，２１，２５および２９のサブキャリアがＰに含まれ送信される。これらの周波数ビンの重要な特徴は、それらが利用可能な周波数範囲にわたって均一に分布しているということである。周波数分離はＬ＝Ｎ／Ｍであり、この例では４である。関連するＭ個の周波数ビンの分布はまた、０およびＬの間のスタート位置ｉによって特徴づけられ、実施例では１である。
【００３４】
本発明の実施例によれば、Ｐに含まれるサブキャリアは更にサブセットＰｋに分割することが可能である。サブセット内のサブキャリア間の距離は、各々のサブセットにおいて同じでなければならない。例えば、４個のサブセットＰ０、Ｐ１、Ｐ２、Ｐ３を以下のように指定することができる。
【００３５】
Ｐ０：１および１７のサブキャリア
Ｐ１：５および２１のサブキャリア
Ｐ２：９および２５のサブキャリア
Ｐ３：１３および２９のサブキャリア
ここに示されるように、各々のサブセットＰｋ内のサブキャリアもまた、互いに同じ距離に位置する。
【００３６】
この例では、図１の基地局のそれぞれが同期信号のサブキャリアの異なるサブセットＰｋを使用する場合、移動端末は適切な基地局からの同期信号を選択することができ、その他を無視できる。この場合、Ｍは２に引き下げられ、間隔Ｌ＝１６である。
【００３７】
本発明によれば、複数のチャネルがセル固有のものに使用される場合、これらのチャネルは周波数範囲内で以下に従って配置される。
【００３８】
マルチキャリアシステムがＮ個のサブキャリアを有すると仮定する場合、Ｍ個のサブキャリアのセットが、異なるセルのセル固有の情報のキャリアとしての使用可能性のために予約される。予約されたサブキャリアのセット内の最初のチャネルを効果的に識別するオフセットｎ０が定義される。予約されたチャネルはそれぞれが等距離となるように配置され、その距離はＬ＝Ｎ／Ｍである。
【００３９】
このように、Ｌ個のサブキャリアだけ間隔を置かれ、セットＰ＝｛（ｎ０＋ｍ＊Ｌ）  ｍｏｄ  Ｎ：  ｍ＝０，１，．．．，Ｍ−１｝に属するＭ個のサブキャリアが選択される。特定の情報のために予約されるサブキャリアの数Ｍ、および、キャリア間隔Ｌは、Ｍ＊Ｌ＝Ｎとなるようキャリアの総数Ｎに関連する。セットＰ内の全サブキャリアが特定の情報を伝送する必要は無いが、伝送しても良い。
【００４０】
０，．．．，３１と番号が付されたＮ＝３２であるサブキャリアがあり、Ｍ＝８のサブキャリアが異なるセルのセル固有の情報のキャリアとしての使用可能性のために予約されると仮定する。ｎ０＝１である場合、番号が１であるサブキャリアが最初の予約されたサブキャリアとして選択され、予約されたサブキャリアのセットはＰ＝｛１，５，９，１３，１７，２１，２５，２９｝になる。
【００４１】
Ｐのサブセットは、例えば、Ｐ’＝｛５，９，１３，１７，２１，２５，２９｝のように選択され得る。
【００４２】
サブセットの数Ｋ＝４がＪ＝８／４＝２となると仮定する。そうすると、予約されたサブキャリアのセットＰ＝｛１，５，９，１３，１７，２１，２５，２９｝は、共通の要素をもたない４個のサブセット、Ｐ０＝｛１，１７｝、Ｐ１＝｛５，２１｝、Ｐ２＝｛９，２５｝およびＰ３＝｛１３，２９｝に分割可能である。各々のサブセットは、任意のオフセットａおよびｂ＝０，．．．，Ｊ−１について、｛ａ＋ｂ＊Ｌ＊Ｋ｝の形式を有する。
【００４３】
図５は、本発明に係る送信機の概念図であり、本発明に係る送信エンドの信号変換装置の例示的実施形態のブロック図である。この装置は、例えば、マルチキャリア通信システムの移動局に実装することができる。しかしながら、説明を簡単にするために、本発明を説明するのに必要な要素のみが図に示されている。チャネルを介して送信されるサンプルは、図５に示されない情報源ユニットからシリアル／パラレルコンバータ３６で受信される。そして、シリアル／パラレル変換によりＭ個のサンプルに変換するコンバータ３６でバッファリングされる。Ｍ個のサンプルは、シリアル／パラレルコンバータ３６からＭポイントＩＦＦＴ変換器３８まで転送される。Ｍ個のサンプルの結果として生じるブロックｘ’（ｍ）は、式（４）に従ってｘ’（ｍ）をｘ（ｎ）に変換を実行する演算ユニット４０に転送される。好ましくは、回転子（ｒｏｔａｔｏｒ）はルックアップテーブル４２から取得される。演算ユニット４０からの出力信号は、チャネルへの出力のためそれらをシリアル形式に変換するパラレル／シリアルコンバータ１４に転送される。そして、ＩＦＦＴ変換器３８および演算ユニット４０において実行される動作は、ルックアップテーブル４２からの情報を使用して、情報を適切なサブキャリア（すなわち、上述の通り、セットＰまたはサブセットＰｋに属するそれぞれのサブキャリア）に対応付ける。
【図面の簡単な説明】
【００４４】
【図１】セルラーシステムを概念的に示す図である。
【図２】従来技術に係るマルチキャリアシステムの異なるタイプのチャネルの構成を示す図である。
【図３】本発明に係るマルチキャリアシステムの異なるタイプのチャネルの構成を示す図である。
【図４】デジタル信号の離散フーリエ変換スペクトルである。
【図５】本発明に従って用いられ得る送信機の概略図である。
【図１】
2007536761.tif 000003
【図２】
2007536761.tif 000004
【図３】
2007536761.tif 000005
【図４】
2007536761.tif 000006
【図５】
2007536761.tif 000007
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
Ｎ個のサブキャリアを含むＦＦＴベースのマルチキャリア通信システムのセルラーに用いられ、基地局から移動端末への特定の情報のキャリアとしての使用可能性のために予約されるサブキャリアのセットＰを割り当てるための方法であって、
Ｌ＝Ｎ／Ｍが整数となるように、サブキャリアのセットＰに割り当てられる前記サブキャリアの数を示す数Ｍを選択するステップと、
前記セットＰの少なくとも２個のサブキャリアを、前記特定の情報のために割り当てるステップと、
を含み、Ｐ＝｛（ｎ０＋ｍ＊Ｌ）  ｍｏｄ  Ｎ：  ０≦ｍ＜Ｍ｝であり、ｎ０はＰ内の最小の番号が付されたサブキャリアのオフセットであることを特徴とする方法。
【請求項２】
先頭のオフセットｎ０＜Ｎを選択するステップと、
前記先頭のオフセットｎ０に基づいてＰの一部である前記サブキャリアを決定するステップと、
を含むことを特徴とする請求項１に記載の方法。
【請求項３】
先頭のオフセットｎ０＜Ｌを選択するステップと、
前記先頭のオフセットｎ０に基づいてＰの一部である前記サブキャリアを決定するステップと、
を含むことを特徴とする請求項１に記載の方法。
【請求項４】
前記特定の情報はペイロードデータであることを特徴とする請求項１乃至請求項３の何れか１項に記載の方法。
【請求項５】
前記特定の情報は同報情報であることを特徴とする請求項１乃至請求項３の何れか１項に記載の方法。
【請求項６】
前記特定の情報はサービスエリア内の２以上の基地局から同時に送信される共通同報情報であることを特徴とする請求項５に記載の方法。
【請求項７】
前記特定の情報はセル固有の情報であることを特徴とする請求項５に記載の方法。
【請求項８】
Ｐｉ⊆ＰかつＰｉ＝｛（ｎ０’＋ｍ’＊Ｌ’）  ｍｏｄ  Ｎ｝となるように、前記セットＰの少なくとも１つのサブセットＰｉを選択するステップであって、Ｌ’＞ＬでありかつＬがＬ’を除算する、ステップをさらに含むことを特徴とする請求項１乃至請求項７の何れか１項に記載の方法。
【請求項９】
Ｎ個のサブキャリアを含むＦＦＴベースのマルチキャリア通信システムのセルラーに用いられ、基地局から移動端末への情報の送信を制御するための信号送信ノードであって、
Ｌ＝Ｎ／Ｍが整数となるように、サブキャリアのセットＰに割り当てられる前記サブキャリアの数を示す数Ｍを選択する手段と、
前記セットＰの少なくとも２個のサブキャリアを、前記特定の情報のために割り当てる手段と、
出力ブロックを生成するために、少なくとも前記セットＰのサブキャリアに対してＩＦＦＴを実行するＩＦＦＴ手段（３８）と、
前記出力ブロックをシリアル形式で送信する送信手段と、
を含み、Ｐ＝｛（ｎ０＋ｍ＊Ｌ）  ｍｏｄ  Ｎ：  ０≦ｍ＜Ｍ｝であり、ｎ０はＰ内の最小の番号が付されたサブキャリアのオフセットであることを特徴とする信号送信ノード。
【請求項１０】
前記セットＰの少なくとも２個のサブキャリアを割り当てる手段は、ペイロード情報を保持するサブキャリアに割り当てるよう構成されることを特徴とする請求項９に記載の信号送信ノード。
【請求項１１】
前記セットＰの少なくとも２個のサブキャリアを割り当てる手段は、同報情報を保持するサブキャリアに割り当てるよう構成されることを特徴とする請求項９に記載の信号送信ノード。
【請求項１２】
前記セットＰの少なくとも２個のサブキャリアを割り当てる手段は、サービスエリア内の２以上の基地局から同時に送信される共通同報情報を保持するサブキャリアに割り当てるよう構成されることを特徴とする請求項１１に記載の信号送信ノード。
【請求項１３】
前記セットＰの少なくとも２個のサブキャリアを割り当てる手段は、セル固有の情報を保持するサブキャリアに割り当てるよう構成されることを特徴とする請求項１１に記載の信号送信ノード。
【請求項１４】
Ｐｉ⊆ＰかつＰｉ＝｛（ｎ０’＋ｍ’＊Ｌ’）  ｍｏｄ  Ｎ｝となるように、前記セットＰの少なくとも１つのサブセットＰｉを選択する手段であって、Ｌ’＞ＬでありかつＬがＬ’を除算する、手段をさらに含むことを特徴とする請求項９乃至請求項１３の何れか１項に記載の信号送信ノード。
【国際調査報告】
2007536761.tif 000008
2007536761.tif 000009
2007536761.tif 000010